(57)【特許請求の範囲】
【請求項１】
一辺にて接続された柔軟性を有さないベース薄板と柔軟性を有する透明カバーとからなり、他の辺を開いた状態で挿入したポスターを挟み込みその後他の辺を閉じてポスターを挟み込んで収納できるように構成されるポスター掲示板であって、
前記ベース薄板の他の辺には、磁石が配置され、
前記透明カバーの他の辺には、前記磁石によって吸引される金属薄板と、ベース薄板−透明カバーの重合せ側断面を覆いこの側断面が外部に直接露出しないようにする側周カバー枠とが配置されるポスター掲示板。
【請求項２】
前記ベース薄板の他の辺には、配置された前記磁石の上にさらに面ファスナーが配置され、
前記透明カバーの他の辺には、配置された前記金属薄板の上に前記ベース薄板に配置された面ファスナーと対となる面ファスナーが配置される請求項１に記載のポスター掲示板。
【請求項３】
前記ベース薄板の他の辺には、配置された前記磁石の上にさらに粘弾性体が配置され、
前記透明カバーの他の辺には、配置された前記金属薄板の上に前記ベース薄板に配置された粘弾性体と対となる粘弾性体が配置される請求項１に記載のポスター掲示板。
【請求項４】
前記ベース薄板の他の辺には、配置された前記磁石の上にさらに溝テープが配置され、
前記透明カバーの他の辺には、配置された前記金属薄板の上に前記ベース薄板に配置された溝テープと対となる溝テープが配置される請求項１に記載のポスター掲示板。
【請求項５】
前記ベース薄板に配置される磁石に代えて金属薄板として、
前記透明カバーに配置される金属薄板に代えて磁石とした請求項１から４に記載のポスター掲示板。
【発明の詳細な説明】
【技術分野】
【０００１】
本発明は、ベース薄板と透明カバーとからなり、ポスターを挟み込んで収納するポスター掲示板に関する。
【背景技術】
【０００２】
店頭などでよく見るポスター掲示板は、ポスターの裏の面と接する裏面と、ポスターの表の面と接する表面とが完全に分離される構造のものが一般的である。従って、ポスター交換時には、該ポスター掲示板を壁などから取り外して行うなど、非常に手間がかかり、大型のポスターの場合には複数人で交換する必要があった。
また、ポスター掲示板の表面と裏面とが蝶番等で一部接続されており、表面又は裏面を開閉することにより、壁などに固定されている状態でポスターの交換ができるものもあった。しかし、該ポスター掲示板を屋外等に設置した場合、表面と裏面とが接する側断面にできる隙間から雨水等が入り込む場合があり、挿入されているポスターが濡れる場合があった。更には、表面及び裏面が柔軟性を有さない材料であった場合、ポスター交換時にその開閉のために一定のスペースを必要としていた。
【０００３】
上記問題点を解決するために、キャスター付きで簡単にポスター掲示板を動かせるものもある。該ポスター掲示板は、雨があたらない場所へ移動が可能であり、またポスターの交換は、広いスペースのある場所で行うことができる。しかし、移動用であるため大型のポスターを掲示する場合には不向きであった。
【特許文献１】特開2004-230870
【特許文献２】実登3079653
【発明の開示】
【発明が解決しようとする課題】
【０００４】
通常、ポスター掲示板は、ポスターの表の面と接する表面と、裏と接する裏面とは完全に分離される。従って、該ポスター掲示板を壁等に設置した状態で挿入されたポスターを交換するのは困難であった。また、該ポスター掲示板を屋外等に設置した場合、表面と裏面とが接する側断面から雨水等が浸入し、挿入されているポスターが濡れてしまうことがあった。
【課題を解決するための手段】
【０００５】
そこで、本件発明では、ポスターの交換が容易であって、側面の隙間から雨水等が入らないように側周カバー枠を有するポスター掲示板を提供する。
（１）本発明は、一辺にて接続されたベース薄板と透明カバーとからなり、他の辺を開いた状態で挿入したポスターを挟み込みその後他の辺を閉じてポスターを挟み込んで収納できるように構成されるポスター掲示板であって、前記ベース薄板の他の辺には、磁石が配置され、前記透明カバーの他の辺には、前記磁石によって吸引される金属薄板と、ベース薄板−透明カバーの重合せ側断面を覆いこの側断面が外部に直接露出しないようにする側周カバー枠とが配置されることを特徴とするポスター掲示板を提供する。
【０００６】
（２）本発明は、前記ベース薄板の他の辺にはさらに面ファスナーが配置され、前記透明カバーの他の辺には、前記ベース薄板に配置された面ファスナーと対となる面ファスナーが配置されることを特徴とする（１）に記載のポスター掲示板を提供する。
【０００７】
（３）本発明は、前記ベース薄板の他の辺にはさらに粘弾性体が配置され、前記透明カバーの他の辺には、前記ベース薄板に配置された粘弾性体と対となる粘弾性体が配置されることを特徴とする（１）に記載のポスター掲示板を提供する。
【０００８】
（４）本発明は、前記ベース薄板の他の辺にはさらに溝テープが配置され、前記透明カバーの他の辺には、前記ベース薄板に配置された溝テープと対となる溝テープが配置されることを特徴とする（１）に記載のポスター掲示板を提供する。
【０００９】
（５）本発明は、前記ベース薄板に配置される磁石に代えて金属薄板として、前記透明カバーに配置される金属薄板に代えて磁石としたことを特徴とする（１）から（４）に記載のポスター掲示板を提供する。
【発明の効果】
【００１０】
本発明のポスター掲示板によれば、側周カバー枠を有するため、屋外に設置した場合でも雨水が側面の隙間から浸入することを防止できる。また、ベース薄板と透明カバーとが一辺にて接続されているため、該ポスター掲示板を壁等に固定した状態でもポスターの交換が容易である。さらには、狭いスペースでの交換も可能であり、大型のポスターの掲示にも対応できる。
【発明を実施するための最良の形態】
【００１１】
以下、本件発明の実施の形態について、添付図面を用いて説明する。なお、本件発明は、これら実施形態に何ら限定されるべきものではなく、その要旨を逸脱しない範囲において、種々なる態様で実施し得る。なお、実施形態１は請求項１などに関する。実施形態２は請求項２から４などに関する。実施形態３は請求項５などに関する。
<<実施形態１>>
<実施形態１：概要>
【００１２】
本実施形態は、ベース薄板と透明カバーでポスターを挟み込むことにより、該ポスターを収納できるように構成されたポスター掲示板である。該ポスター掲示板は、ポスターを挟み込むベース薄板と透明カバーが、それぞれに配置された磁石と金属薄板が磁力によって引き合うように構成され、更に透明カバーには側周カバー枠が配置されている。
<実施形態１：構成>
【００１３】
図１に本実施形態を説明するための概念図を示した。（ａ）は正面図を示し、（ｂ）は断面図を示す。本実施形態のポスター掲示板は、ベース薄板（０１０４ｂ）と、透明カバー（０１０１ａ、０１０１ｂ）と、それぞれに配置された磁石（０１０６ｂ）と、金属薄板（０１０５ｂ）と、透明カバーに更に配置された側周カバー枠（０１０２ａ、０１０２ｂ）とからなり、ポスター（０１０３ａ、０１０３ｂ）を挟み込んで収納する。図２に、ポスター掲示板（０２０１）にポスター（０２０２）を挿入し、挟み込んだ状態で収納する概念図を示す。
【００１４】
ポスターとは、広く、写真や絵、文字等で構成された視覚的な広告・宣伝・告知媒体等をいう。ポスターの大きさについては特に限定せず、飲食店等のテーブルに置く小さいものから、建物の壁面に掲示する特大のものまで含むものとする。また、紙媒体のものに限定せず、布媒体や電子パネル等も含む。
【００１５】
ベース薄板とは、ポスターの裏面と接する面を持つ薄板をいう。薄板とは、柔軟性のあるものと、柔軟性のないもの両方を含む。但し、該ベース薄板と後述する透明カバーのどちらか一方は柔軟性がないものであることが好ましい。挿入したポスターが折れ曲がり、又は波打つなどして歪むのを防ぎ、平面の状態で掲示できるようにするためである。該ベース薄板の材質はプラスチックやアルミ、金属、木材など特に限定しない。屋外に設置する場合には、耐熱性、耐水性等に優れた材質が好ましく、また大型の場合には特に軽い材質のものが好ましい。
【００１６】
透明カバーとは、ポスターの表面と接する面を持つ透明なカバーをいう。該カバーの材質は、透明であればプラスチックやガラスなど特に限定しない。表面に傷が付きにくく、透明性を保持できるものが好ましい。また、前記ベース薄板と同様に、耐熱性、耐水性等に優れ、さらには軽い材質ものもが好ましい。ポスターの交換を容易にするためである。
【００１７】
一辺にて接続されたベース薄板と透明カバーとは、いずれか一辺でベース薄板と該透明カバーとが接続され、該ベース薄板と該透明カバーとが完全には分離できないように構成されているものをいい、図３にその断面図の一例を示す。ベース薄板（０３０１ａ、０３０１ｂ）と透明カバー（０３０２ａ、０３０２ｂ）とが、一辺で接続されている。
ベース薄板と透明カバーとを接続する方法は、蝶番を側断面に設置する方法や、接着剤等を用いて、ベース薄板と透明カバーとを直接接続する方法などがある。また、ベース薄板と透明カバーとの間に該接続を仲介するもの（０３０３ａ、０３０３ｂ）を設置する方法もある。ベース薄板及び透明カバー双方ともに柔軟性を有するものでない場合は、（ａ）に示すように、該仲介するもの（０３０３ａ）は後述する他の辺の開閉に対応できるように、柔軟性を有し、又は蛇腹構造など、変形できるものが好ましい。ベース薄板と透明カバーどちらか一方が柔軟性を有するものである場合は、該仲介するもの（０３０３ｂ）は、変形できるもの、変形できないものどちらでも良い。接続する方法は、その接続が容易に解かれるものでなければ限定しないが、接続面に隙間を作らないものが特に好ましい。雨水などが該隙間から入り込むのを防止するためである。
図４にいずれか一辺で接続した種々の形態のポスター掲示板を示す。ベース薄板と透明カバーとを接続する一辺は、（ａ）（ｂ）（ｃ）に示すように、上下左右どの辺でもよい。
図５に、ポスター交換の概念図を示す。ベース薄板と透明カバーとを接続する一辺は、ポスター掲示板を掲示する位置や該ポスター掲示板の大きさ等に合わせて、挿入するポスターの交換を容易にする一辺であることが好ましい。（ａ）は比較的高い位置に設置する場合を示し、（ｂ）は地面に近い低い位置に設置する場合を示し、（ｃ）は人間の目の高さに設置する場合を示し、（ｄ）は建物の壁辺に設置するような大型のポスターの場合を示す。
【００１８】
ベース薄板の他の辺とは、前記透明カバーと接続されている一辺を除く三辺のいずれか一以上をいう。同様に、透明カバーの他の辺とは、前記ベース薄板と接続されている一辺を除く三辺のいずれか一以上をいう。図６に、一辺（０６０３）にて接続されたベース薄板（０６０１）と透明カバー（０６０２）と、それぞれ他の辺に配置された後述する磁石（０６０４）及び金属薄板（０６０５）の概念図を示す。該磁石（０６０４）と該金属薄板（０６０５）とが磁力により接着し、ベース薄板（０６０１）と透明カバー（０６０２）とがポスターを挟み込んで収納する。図７に示すようにベース薄板（０７０１）と透明カバー（０７０２）とをつなぐ紐や鎖等（０７０３）を付けてもよい。
【００１９】
磁石とは、広く、鉄などの磁性体を引き寄せる性質のものをいい、金属薄板とは、該磁石と磁力によって接着するものをいう。該磁石と該金属薄板の原料は限定しないが、保磁力が高く、高い腐食性、温度特性を持ち、軽量のものが好ましい。該磁石を配置するベース薄板が柔軟性のある場合、該磁石も柔軟性を有する必要がある。また、該金属薄板を配置する透明カバーが柔軟性のある場合、該金属薄板も柔軟性を有する必要がある。更に、ポスター掲示板全体の厚さを抑えるため、磁石および金属薄板は薄いものが好ましい。
【００２０】
なお、金属薄板においては、磁石と接着する面を全て覆うようにテープ等を貼ってもよく、また、磁石においては、金属薄板と接着する面を全て覆うようにテープ等を貼ってもよい。ポスター交換時などにおいて、該金属薄板および該磁石が露出した場合の見栄えを考慮するためである。
【００２１】
側周カバー枠とは、重ね合わせ側断面を覆うように構成された枠をいい、前記透明カバーに配置され、側断面の僅かな隙間から雨水等が進入するのを防止するためのものをいう。図８にその断面図を示す。側周カバー枠（０８０１）は、ベース薄板（０８０２）−透明カバー（０８０３）の重合せ側断面（０８０４）を覆いこの側断面が外部に直接露出しないように配置されている。
側周カバー枠は、（ａ）に示すように、ベース薄板（０８０２ａ）−透明カバー（０８０３ａ）の重合せ側断面（０８０４ａ）を全て覆うように構成されていてもよく、また、（ｂ）に示すように、重合せ側断面（０８０４ｂ）をベース薄板（０８０２ｂ）の一部を覆うように構成されていてもよい。但し、ベース薄板と磁石とが接している側面を覆うように構成されている必要がある。該ベース薄板と磁石との間に雨水等が浸入する僅かな隙間ができる場合があるからである。
また（ｃ）に示すように、側周カバー枠（０８０１ｃ）を、コの字型にすることにより、ベース薄板（０８０２ｃ）と透明カバー（０８０３ｃ）を挟むように構成されていてもよい。ベース薄板−透明カバーの重合せ側断面から雨水等が浸入するのを防ぐとともに、ベース薄板と透明カバーとの接着を助ける点でも有効である。
ベース薄板と透明カバーとを引き離した状態の断面図を（ｄ）に示す。側周カバー枠（０８０１ｄ）は、透明カバー（０８０３ｄ）とその側面と、透明カバーに配置された金属薄板の側面と接着しており、ベース薄板（０８０２ｄ）と磁石の側面とは接着していない。したがって、側周カバー枠はベース薄板と磁石に被さるように配置されているにすぎない。但し、前記ベース薄板と透明カバーとは接続された一辺においては、該側周カバー枠と、ベース薄板と磁石の側面とが接着されていてもよい。
更に、側周カバー枠はポスター掲示板の全ての辺に配置されており、正面からは額縁のように見え、挿入したポスターを目立たせ、また見栄えを良くする役割も果たす。そのため側周カバー枠の幅は、透明カバー枠及びベース薄板のそれぞれに配置された金属薄板及びマグネットの幅より広いのが好ましい。掲示した状態を正面から見た時に、金属薄板や磁石が隠れるようにするためである。
側周カバー枠の材質は特に限定しないが、屋外に設置した場合には風雨に晒されるため、耐久性に優れたものが好ましく、密着性を高めるために、弾力性のあるゴムなどが特に好ましい。
<実施形態１：効果>
【００２２】
一辺でベース薄板と透明カバーとを接続しているため、ポスターの交換が容易である。また、側周カバー枠を設けることにより、屋外等に設置したばあいでも、側断面から雨水などが浸入するのを防止することができる。
<<実施形態２>>
<実施形態２：概要>
【００２３】
本実施形態のポスター掲示板は、実施形態１のベース薄板の他の辺にはさらに面ファスナーが配置され、前記透明カバーの他の辺には、前記ベース薄板に配置された面ファスナーと対となる面ファスナーが配置されるポスター掲示板に関する。また、前記面ファスナーに代えて、粘弾性体としたポスター掲示板に関する。更には、前記面ファスナーに代えて、溝テープとしたポスター掲示板に関する。
<実施形態２：構成>
【００２４】
図９に本実施形態の断面図を示す。本実施形態は、ベース薄板（０９０２）と透明カバー（０９０３）とを、それぞれに配置された磁石（０９０４）と金属薄板（０９０５）との磁力より引き寄せ、面ファスナー（０９０１ａ）又は粘弾性体（０９０１ｂ）又は溝テープ（０９０１ｃ）によって、さらに密着度を高めて側面から雨水等が進入するのを防止するように構成されている側周カバー枠（０９０６）を有するポスター掲示板である。
【００２５】
面ファスナーとは、広く、多数の微小なフック及び／又はループを表面に有するものをいい、該フックがループに引っかかることにより該表面同士が接着する。フックとループの並び方や形によって種々の面ファスナーがあるが、表面同士が接着するものであれば特に限定しない。図９（ａ）のように、両表面がマッシュルーム形状になっており、マッシュルームの頭と頭を突合せて接着するものも含む。
【００２６】
粘弾性体とは、粘着性及び弾性の両方の性質を有するもので、ゴムや樹脂、ゼラチン、ゲルなどをいう。透明カバーとベース薄板のそれぞれに配置された粘弾性体同士はその粘着性及び弾性により密着し、隙間を作らない。
【００２７】
溝テープとは、表面に凹凸を有するテープをいう。透明カバーとベース薄板のどちらか一方に配置された溝テープの凹部分と、透明カバーとベース薄板どちらか他方に配置された凸部分とが合体することにより、隙間を作らない。
<実施形態２：効果>
【００２８】
実施形態１の透明カバーおよびベース薄板に、更に面ファスナー又は粘弾性体又は溝テープを配置することにより、ベース薄板と透明カバーの重ね合せ側断面に僅かな隙間をも作らず、屋外に設置した場合でも雨水が等が浸入するのを防止できる。
<<実施形態３>>
<実施形態３：概要>
【００２９】
本実施形態のポスター掲示板は、実施形態１又は実施形態２のベース薄板に配置される磁石に代えて金属薄板として、前記透明カバーに配置される金属薄板に代えて磁石としたポスター掲示板に関する。
<実施形態３：構成>
【００３０】
図１０に、本実施形態の断面図を示す。ベース薄板（１００１）に配置した金属薄板（１００２）と、透明カバー（１００３）に配置した磁石（１００４）とが、磁力によって接着し、ポスターを挟み込むように構成されている側周カバー枠（１００５）を有するポスター掲示板である。
磁石に代えて金属薄板としたとは、前記実施形態１及び２において、ベース薄板に配置された磁石を金属薄板で代替することをいう。同様に、金属薄板に代えて磁石としたとは、前記実施形態１及び２において、透明カバーに配置された金属薄板を磁石で代替することをいう。
<実施形態３：効果>
実施形態１と同様に、一辺でベース薄板と透明カバーとを接続しているため、ポスターの交換が容易である。また、側周カバー枠を設けることにより、屋外等に設置したばあいでも、側断面から雨水などが浸入するのを防止することができる。
【図面の簡単な説明】
【００３１】
【図１】実施形態１のポスター掲示板の正面図及び断面図
【図２】ポスター掲示板の概念図
【図３】ベース薄板と透明カバーの一辺を開いた状態の断面図
【図４】ベース薄板と透明カバーとを接続する一辺の概念図
【図５】ポスター交換時の概念図
【図６】ベース薄板と透明カバーの一辺を開いた状態の斜視図
【図７】ベース薄板と透明カバーとを繋ぐ鎖をつけたポスター掲示板の断面図
【図８】側周カバー枠の構成を示すポスター掲示板の断面図
【図９】実施形態２のポスター掲示板の断面図
【図１０】実施形態３のポスター掲示板の断面図
【図１】
0005060844.tif 000002
【図２】
0005060844.tif 000003
【図３】
0005060844.tif 000004
【図４】
0005060844.tif 000005
【図５】
0005060844.tif 000006
【図６】
0005060844.tif 000007
【図７】
0005060844.tif 000008
【図８】
0005060844.tif 000009
【図９】
0005060844.tif 000010
【図１０】
0005060844.tif 000011